【手続補正書】
【提出日】平成28年11月7日(2016.11.7)
【手続補正１】
【補正対象書類名】特許請求の範囲
【補正対象項目名】請求項１１
【補正方法】変更
【補正の内容】
【請求項１１】
複数の導体が配置されるとともに自己容量を有する位置検出センサと、前記位置検出センサの前記導体に接続されて前記導体と指示体との間で生じる電荷の変化をコンデンサ回路に生じる電圧信号の変化として検出する信号処理回路と、前記信号処理回路から出力される信号に基づいて前記指示体による指示位置を検出する位置検出回路とを備えており、
前記信号処理回路は、前記コンデンサ回路と前記導体との接続を制御するスイッチ回路を備えるとともに、前記スイッチ回路の制御と協働して、前記導体が接続される前記スイッチ回路の一端に一時的に所定の電圧を設定するとともに、前記スイッチ回路の一端と前記コンデンサ回路が接続される前記スイッチ回路の他端との間に所定の電位差を与える電圧供給制御回路を備えており、前記スイッチ回路の制御に協働した前記所定の電圧と前記所定の電位差の設定によって生じる前記スイッチ回路の前記他端に生じる電圧に基づいて前記位置検出センサが有する前記自己容量に対応した信号を生成し、前記指示体による指示位置を検出する際に前記コンデンサ回路に生じる電圧信号に対する補正用信号として供するように構成されていることを特徴とする位置検出装置。
【手続補正２】
【補正対象書類名】特許請求の範囲
【補正対象項目名】請求項１３
【補正方法】変更
【補正の内容】
【請求項１３】
複数の導体が配置されるとともに自己容量を有する位置検出センサの前記導体に接続されて、前記導体と指示体との間で生じる電荷の変化をコンデンサ回路に生じる電圧信号の変化として検出する信号処理方法であって、
前記コンデンサ回路と前記導体との接続を制御するスイッチ回路を備えるとともに、前記スイッチ回路の制御と協働して、前記導体が接続される前記スイッチ回路の一端に一時的に所定の電圧を設定するとともに、前記スイッチ回路の一端と前記コンデンサ回路が接続される前記スイッチ回路の他端との間に所定の電位差を与える電圧供給制御回路を備えることで、前記スイッチ回路の制御に協働した前記所定の電圧と前記所定の電位差の設定によって生じる前記スイッチ回路の前記他端での電圧変化に基づいて前記位置検出センサが有する前記自己容量に対応した信号を生成するようにしたことを特徴とする信号処理方法。
【手続補正３】
【補正対象書類名】明細書
【補正対象項目名】００１２
【補正方法】変更
【補正の内容】
【００１２】
ところで、特許文献１のように、ＩＶ変換部を用いて、受信導体に流れる微弱電流を電圧に変換して処理する場合には、受信導体に流れる電流の全てがオペアンプの入出力端間に接続されるコンデンサ（ＩＣ内のコンデンサ）に流れるので、送信導体及び受信導体を含んで構成される位置検出センサは受信導体の自己容量の影響を受けることがない。
【手続補正４】
【補正対象書類名】明細書
【補正対象項目名】００２２
【補正方法】変更
【補正の内容】
【００２２】
【図１】この発明による電子機器の実施形態の例を説明するための図である。
【図２】この発明による位置検出装置の実施形態の構成例の概要を説明するためのブロック図である。
【図３】この発明による位置検出装置の実施形態の動作の説明のための図である。
【図４】この発明による位置検出装置の実施形態の指タッチ検出回路のブロック図である。
【図５】この発明による信号処理回路の第１の実施形態の構成例を示すブロック図である。
【図６】図５の信号処理回路の一部を構成するＡＤＣの構成例を示す図である。
【図７】この発明による位置検出装置の実施形態の指タッチ検出回路における指タッチの検出動作を説明するためのタイミングチャートを示す図である。
【図８】この発明による信号処理回路の第１の実施形態における要部の動作説明のための図である。
【図９】この発明による信号処理回路の第１の実施形態における要部の動作の流れを説明するためのフローチャートを示す図である。
【図１０】この発明による信号処理回路の第２の実施形態の構成例を示すブロック図である。
【図１１】この発明による信号処理回路の第２の実施形態における要部の動作説明のための図である。
【図１２】この発明による信号処理回路の第２の実施形態における要部の動作の流れを説明するためのフローチャートを示す図である。
【図１３】この発明による信号処理回路の第３の実施形態の構成例を示すブロック図である。
【図１４】この発明による信号処理回路の第３の実施形態における要部の動作説明のための図である。
【図１５】この発明による信号処理回路の第３の実施形態における要部の動作説明のための図である。
【図１６】この発明による信号処理回路の第３の実施形態における要部の動作の流れを説明するためのフローチャートを示す図である。
【図１７】この発明による位置検出装置の他の実施形態を説明するための図である。
【図１８】この発明による信号処理回路の第１の実施形態における要部の動作を説明するために用いる数式を示す図である。
【図１９】この発明による信号処理回路の第２の実施形態における要部の動作を説明するために用いる数式を示す図である。
【手続補正５】
【補正対象書類名】明細書
【補正対象項目名】００３９
【補正方法】変更
【補正の内容】
【００３９】
制御回路２０４は、位置検出装置１の全体の動作を制御するためのもので、この例では、ＭＰＵ（microprocessor unit）で構成されている。この実施形態の位置検出装置１では、制御回路２０４は、指タッチの検出と、ペン指示の検出とを時分割で行うように制御する。すなわち、この実施形態の位置検出装置１では、図３に示すように、ペン指示の検出を実行するペン指示検出期間ＴＰと、指タッチの検出を実行する指タッチ検出期間ＴＦとを交互に時分割で実行するようにしている。
【手続補正６】
【補正対象書類名】明細書
【補正対象項目名】００５８
【補正方法】変更
【補正の内容】
【００５８】
そして、この第１の実施形態においては、図５に示すように、制御回路２０４から、スイッチ回路３１ａには切替制御信号ＳＷ１が、ゲート回路３１ｂにはゲート制御信号ＳＷ２が、スイッチ回路３１ｅには切替制御信号ＳＷ３が、それぞれ供給される。これらの切替制御信号ＳＷ１と切替制御信号ＳＷ３及びゲート制御信号ＳＷ２は、クロック発生回路４０からのクロック信号ＣＬＫに同期した信号である。また、ＡＤＣ３１ｄは、制御回路２０４から動作制御信号ＣＴにより動作／非動作が制御される。
【手続補正７】
【補正対象書類名】明細書
【補正対象項目名】００６１
【補正方法】変更
【補正の内容】
【００６１】
スイッチ回路３１ａは、制御回路２０４からの切替制御信号ＳＷ１によりオンとされることにより、各受信導体１１Ｘを所定の電圧にクランプする。ゲート回路３１ｂは、制御回路２０４からのゲート制御信号ＳＷ２によりオン・オフ制御（開閉制御）され、そのオン期間（閉期間）においてクランプ回路を構成するスイッチ回路３１ａを通じて所定の電圧にクランプされた受信導体１１Ｘをコンデンサ回路３１ｃに接続する。コンデンサ回路３１ｃは、受信導体１１Ｘがクランプされて設定された所定の電圧に対応した電荷を、ゲート回路３１ｂを介して蓄積する。コンデンサ回路３１ｃに蓄積された電荷に対応してコンデンサ回路３１ｃに生じた電圧がＡＤＣ３１ｄによってデジタル信号に変換される。
【手続補正８】
【補正対象書類名】明細書
【補正対象項目名】００７５
【補正方法】変更
【補正の内容】
【００７５】
このため、図７Ａの送信符号が「０」である場合、図７Ｂでは「１→０」と立ち下り波形にする。図７Ａの送信符号が「０」と続く場合、図７Ｂでは事前に「０→１」にして立ち下り波形の生成の準備をする。図７Ａの送信符号が「１」である場合、図７Ｂでは「０→１」と立ち上り波形にする。図７Ａの送信符号が「１」と続く場合、図７Ｂでは事前に「１→０」にして立ち上り波形の生成の準備をする。
【手続補正９】
【補正対象書類名】明細書
【補正対象項目名】００７９
【補正方法】変更
【補正の内容】
【００７９】
スイッチ回路３１ａは、図７Ｄに示す切替制御信号ＳＷ１により、図７Ｅに示すゲート制御信号ＳＷ２によりスイッチ回路３１ｂがオフ（開状態）になった後に、オンにされる。これにより、図７Ｃに示すように、受信導体１１Ｘの電圧が基準電圧Ｖｒｅｆに迅速にクランプされる。なお、図７Ｄの例では、スイッチ回路３１ａは、時点ｔ１においてオンにされているが、この時点に限るものではなく、Ａ−Ｄ変換開始時点ｔ６からＡ−Ｄ変換終了時点ｔ７までの期間においてオンに切り替えられれば良い。スイッチ回路３１ｅは、どれを選択されていてもＡ−Ｄ変換開始からＡ−Ｄ変換終了まで切替しないようにする。
【手続補正１０】
【補正対象書類名】明細書
【補正対象項目名】００８１
【補正方法】変更
【補正の内容】
【００８１】
ゲート回路３１ｂは、Ａ−Ｄ変換の終了後の時点ｔ２（図７Ｅでの点線矢印時点）からオン（閉状態）にすることができるが、この実施形態では、ゲート制御信号ＳＷ２により、図７Ｅに示すように、送信信号の信号レベルが変化し得るタイミング時点Ｓｄでオン（閉状態）とされる。そして、このゲート回路３１ｂがオン（閉）状態に制御されることにより、コンデンサ回路３１ｃには受信導体１１Ｘの電圧に応じた電荷が蓄積される。
【手続補正１１】
【補正対象書類名】明細書
【補正対象項目名】００８３
【補正方法】変更
【補正の内容】
【００８３】
受信導体１１Ｘに接続されたコンデンサ回路３１ｃに、送信導体１２Ｙに供給された信号に応じて生じる電圧波形は、およそ図７Ｃに示したような信号波形となる。すなわち、図７Ｃにおいて、記号ｃｐにより示される直線部分が示すように、送信信号の信号レベルを切り替える時点Ｓｄに先立つ所定期間においては、スイッチ回路３１ａがオンとされることにより、受信導体１１Ｘは基準電圧Ｖｒｅｆ（Ｖｒｅｆ＝１／２・Ｖｄｄ）にクランプされている。
【手続補正１２】
【補正対象書類名】明細書
【補正対象項目名】００８７
【補正方法】変更
【補正の内容】
【００８７】
［信号処理回路３１Ａの自己容量測定期間ＴＦｓｓ、ＴＦｓｅにおける動作］
図８は、自己容量測定期間ＴＦｓｓ、ＴＦｓｅにおける信号処理回路３１Ａのスイッチ回路３１ａ，３１ｅの切替状態の遷移及びゲート回路３１ｂの開閉状態の遷移を説明するための図である。制御回路２０４は、図５に示したように、これらスイッチ回路３１ａ，３１ｅ及びゲート回路３１ｂに切替制御信号ＳＷ１，ＳＷ３及びゲート制御信号ＳＷ２を供給して、後述するように、受信導体１１Ｘを一時的に所定の電圧に設定すると共に、スイッチ回路からなるゲート回路３１ｂの一端と他端との間に、所定の電位差を設定する機能を備える。すなわち、制御回路２０４は、電圧供給制御回路の機能を備える。
【手続補正１３】
【補正対象書類名】明細書
【補正対象項目名】００９５
【補正方法】変更
【補正の内容】
【００９５】
次に、制御回路２０４は、切替制御信号ＳＷ１，ＳＷ２，ＳＷ３により、図８（Ｂ）に示すように、ゲート回路３１ｂをオン（閉状態）のままとすると共に、スイッチ回路３１ａをオフとし、また、スイッチ回路３１ｅを端子ｓ３側に切り替え、コンデンサ回路３１ｃの、ゲート回路３１ｂの他端側と接続された一端側とは反対側の他端を電源電圧Ｖｄｄに設定する。これにより、コンデンサ回路３１ｃの一端側は、電源電圧Ｖｄｄにチャージアップされて、ゲート回路３１ｂを通じて、このゲート回路３１ｂの他端への電荷が流れ出して外部の電極容量（自己容量）として蓄積される（ステップＳ１０３）。
【手続補正１４】
【補正対象書類名】明細書
【補正対象項目名】００９６
【補正方法】変更
【補正の内容】
【００９６】
次に、制御回路２０４は、ゲート制御信号ＳＷ２により、図８（Ｃ）に示すように、ゲート回路３１ｂをオフ（開状態）にすると共に、ＡＤＣ３１ｄを動作制御信号ＣＴにより動作状態に制御して、ＡＤＣ３１ｄにより、コンデンサ回路３１ｃに保持されている電圧をデジタル信号Ｄ１＋に変換し、そのデジタル信号Ｄ１＋を一時保存する（ステップＳ１０４）。
【手続補正１５】
【補正対象書類名】明細書
【補正対象項目名】００９９
【補正方法】変更
【補正の内容】
【００９９】
ステップＳ１０２で受信導体１１Ｘ及びＡＤＣ３１ｄの入力端を基準電圧ＶｒｅｆにクランプしたときのＡＤＣ３１ｄの入力電圧をＶｃｏ（Ｂｅ）とすると、この電圧Ｖｃｏ（Ｂｅ）は、図１８の（式１）に示すように、電圧Ｖｃｏ（Ｂｅ）＝Ｖｒｅｆとなる。
【手続補正１６】
【補正対象書類名】明細書
【補正対象項目名】０１００
【補正方法】変更
【補正の内容】
【０１００】
そして、ステップＳ１０３において、コンデンサ回路３１ｃをチャージアップしたときのＡＤＣ３１ｄの入力電圧をＶｃｏ（Ａｆ）とすると、この電圧Ｖｃｏ（Ａｆ）は、図１８の（式２）に示すようになる。
【手続補正１７】
【補正対象書類名】明細書
【補正対象項目名】０１０６
【補正方法】変更
【補正の内容】
【０１０６】
次に、制御回路２０４は、ステップＳ１０７の次には、デジタル信号Ｄ１＋とデジタル信号Ｄ１−との差を求める（ステップＳ１０８）。
【手続補正１８】
【補正対象書類名】明細書
【補正対象項目名】０１０７
【補正方法】変更
【補正の内容】
【０１０７】
上記のステップＳ１０２〜ステップＳ１０４では、受信導体１１Ｘの電圧を基準電圧Ｖｒｅｆにクランプした状態から、コンデンサ回路３１ｃの他端を接地電位ＧＮＤから電源電圧Ｖｄｄに切り替えた。これに対して、ステップＳ１０５〜ステップＳ１０７では、受信導体１１Ｘの電圧を基準電圧Ｖｒｅｆにクランプした状態から、コンデンサ回路３１ｃの他端を電源電圧Ｖｄｄから接地電位ＧＮＤに切り替えている。したがって、ステップＳ１０５〜ステップＳ１０７においても、コンデンサ回路３１ｃの他端に対して印加する電圧を、基準電圧Ｖｒｅｆに対して、同じ大きさの電圧変化ΔＶを与えているが、その印加方向がステップＳ１０２〜ステップＳ１０４ではチャージアップ方向であり、ステップＳ１０５〜ステップＳ１０７ではその逆方向のチャージダウン方向となっている。
【手続補正１９】
【補正対象書類名】明細書
【補正対象項目名】０１０８
【補正方法】変更
【補正の内容】
【０１０８】
そこで、デジタル信号Ｄ１＋とデジタル信号Ｄ−との差をとると、２倍のレベルで自己容量が測定できる。そして、デジタル信号Ｄ１＋とデジタル信号Ｄ１−とには、同じＡＤＣ３１ｄのオフセット分が含まれているので、デジタル信号Ｄ１＋とデジタル信号Ｄ１−との減算演算を行うと、オフセット分はキャンセルされて、より正確な自己容量Ｃｘを測定することができる。すなわち、ステップＳ１０８では、ＡＤＣ３１ｄで発生するオフセット分が除去されたより正確な自己容量Ｃｘを測定できる。
【手続補正２０】
【補正対象書類名】明細書
【補正対象項目名】０１１９
【補正方法】変更
【補正の内容】
【０１１９】
この第２の実施形態における信号処理回路３１Ｂの指タッチ検出実行期間ＴＦｍにおける動作は、上述した第１の実施形態における信号処理回路３１Ａと同様であるので、その説明は省略する。
【手続補正２１】
【補正対象書類名】明細書
【補正対象項目名】０１２３
【補正方法】変更
【補正の内容】
【０１２３】
すなわち、まず、制御回路２０４は、切替制御信号ＳＷ１とＳＷ４及びゲート制御信号ＳＷ２により、図１１（Ａ）に示すように、スイッチ回路３１ｆを電源電圧Ｖｄｄ側に切り替え、スイッチ回路３１ａをオン、ゲート回路３１ｂをオフ（開状態）として、受信導体１１Ｘが接続されるゲート回路３１ｂの一端側を一時的に基準電圧Ｖｒｅｆにクランプすると共に、ゲート回路３１ｂの他端が接続されるコンデンサ回路３１ｃの一端側を、基準電圧Ｖｒｅｆとは異なる電圧である電源電圧Ｖｄｄに設定する（ステップＳ２０２）。
【手続補正２２】
【補正対象書類名】明細書
【補正対象項目名】０１２４
【補正方法】変更
【補正の内容】
【０１２４】
次に、制御回路２０４は、切替制御信号ＳＷ１とＳＷ４及びゲート制御信号ＳＷ２により、図１１（Ｂ）に示すように、スイッチ回路３１ａをオフとし、また、スイッチ回路３１ｆを遊端に切り替えると共に、ゲート回路３１ｂをオン（閉状態）としてコンデンサ回路３１ｃの一端側と受信導体１１Ｘとを接続する。すると、ゲート回路３１ｂの一端と他端との間の電位差により、コンデンサ回路３１ｃはディスチャージして、コンデンサ回路３１ｃの一端側の電圧は受信導体１１Ｘと同じ電圧になる（ステップＳ２０３）。なお、このディスチャージのとき、ゲート回路３１ｂは、複数回開閉を繰り返して、コンデンサ回路３１ｃからの電荷の移動を行うことで、コンデンサ回路３１ｃについての必要なディスチャージが正確に行われるようにしてもよい。
【手続補正２３】
【補正対象書類名】明細書
【補正対象項目名】０１２５
【補正方法】変更
【補正の内容】
【０１２５】
次に、制御回路２０４は、ゲート制御信号ＳＷ２により、図１１（Ｃ）に示すように、ゲート回路３１ｂをオフ（開状態）にすると共に、ＡＤＣ３１ｄを動作制御信号ＣＴにより動作状態に制御して、ＡＤＣ３１ｄにより、コンデンサ回路３１ｃに保持されている電圧をデジタル信号Ｄ２＋に変換し、そのデジタル信号Ｄ２＋を一時保存する（ステップＳ２０４）。
【手続補正２４】
【補正対象書類名】明細書
【補正対象項目名】０１２６
【補正方法】変更
【補正の内容】
【０１２６】
以上のステップＳ２０２〜ステップＳ２０４により得られたデジタル信号Ｄ２＋から、自己容量Ｃｘの測定ができることを次に説明する。
【手続補正２５】
【補正対象書類名】明細書
【補正対象項目名】０１３０
【補正方法】変更
【補正の内容】
【０１３０】
したがって、この（式９）に基づいて、自己容量Ｃｘを、図１９の（式１０）に示すようにして測定することができる。すなわち、ステップＳ２０４で得られるＡ−Ｄ変換値Ｄ２＋から自己容量Ｃｘを測定することができる。しかし、ステップＳ２０４で得られるＡ−Ｄ変換値Ｄ２＋には、ＡＤＣ３１ｄで発生するオフセット分を含んだものとなっているので、この第２の実施形態においても、このオフセット分を除去して、より正確な自己容量Ｃｘが測定できるようにするために、次に示すステップＳ２０５〜ステップＳ２０７を実行する。
【手続補正２６】
【補正対象書類名】明細書
【補正対象項目名】０１３１
【補正方法】変更
【補正の内容】
【０１３１】
すなわち、ステップＳ２０４の後、制御回路２０４は、切替制御信号ＳＷ１とＳＷ４及びゲート制御信号ＳＷ２により、図１１（Ａ）において、スイッチ回路３１ｆを、点線で示すように、接地電位ＧＮＤ側に切り替え、スイッチ回路３１ａをオン、ゲート回路３１ｂをオフ（開状態）として、受信導体１１Ｘが接続されるゲート回路３１ｂの一端側を一時的に基準電圧Ｖｒｅｆにクランプすると共に、ゲート回路３１ｂの他端が接続されるコンデンサ回路３１ｃの一端側を、基準電圧Ｖｒｅｆとは異なる電圧である接地電位ＧＮＤに設定する（ステップＳ２０５）。
【手続補正２７】
【補正対象書類名】明細書
【補正対象項目名】０１３２
【補正方法】変更
【補正の内容】
【０１３２】
次に、制御回路２０４は、切替制御信号ＳＷ１とＳＷ４及びゲート制御信号ＳＷ２により、図１１（Ｂ）に示すように、スイッチ回路３１ａをオフとし、また、スイッチ回路３１ｆを遊端側に切り替えると共に、ゲート回路３１ｂをオン（閉状態）としてコンデンサ回路３１ｃの一端側と受信導体１１Ｘとを接続する。すると、ゲート回路３１ｂの一端と他端との間の電位差により、コンデンサ回路３１ｃはチャージされるとともに、コンデンサ回路３１ｃの一端側の電圧は受信導体１１Ｘと同じ電圧になる（ステップＳ２０６）。
【手続補正２８】
【補正対象書類名】明細書
【補正対象項目名】０１３３
【補正方法】変更
【補正の内容】
【０１３３】
次に、制御回路２０４は、ゲート制御信号ＳＷ２により、図１１（Ｃ）に示すように、ゲート回路３１ｂをオフ（開状態）にすると共に、ＡＤＣ３１ｄを動作制御信号ＣＴにより動作状態に制御して、ＡＤＣ３１ｄにより、コンデンサ回路３１ｃに保持されている電圧をデジタル信号Ｄ２−に変換し、そのデジタル信号Ｄ２−を一時保存する（ステップＳ２０７）。
【手続補正２９】
【補正対象書類名】明細書
【補正対象項目名】０１３６
【補正方法】変更
【補正の内容】
【０１３６】
ＡＤＣ３１ｄにおける指タッチ検出結果についての感度変動は、図１９の（式１１）に示すように表すことができる。そして、ＡＤＣ３１ｄからのデジタル信号については、図１９の（式１２）に示すようにして、補正することができる。
【手続補正３０】
【補正対象書類名】明細書
【補正対象項目名】０１４７
【補正方法】変更
【補正の内容】
【０１４７】
この第３の実施形態における信号処理回路３１Ｃの指タッチ検出実行期間ＴＦｍにおける動作は、上述した第１の実施形態における信号処理回路３１Ａと同様であるので、その説明は省略する。
【手続補正３１】
【補正対象書類名】明細書
【補正対象項目名】０１５１
【補正方法】変更
【補正の内容】
【０１５１】
すなわち、まず、制御回路２０４は、ゲート制御信号ＳＷ２及び切替制御信号ＳＷ５により、図１４（Ａ）に示すように、ゲート回路３１ｂをオン（閉状態）として、スイッチ回路３１ｇを基準電圧Ｖｒｅｆが設定されている端子ｓ１に切り替え、受信導体１１Ｘを基準電圧Ｖｒｅｆにクランプすると共に、コンデンサ回路３１ｃの一端側の電圧も基準電圧Ｖｒｅｆにする（ステップＳ３０２）。すなわち、制御回路２０４によるゲート回路３１ｂ及びスイッチ回路３１ｇの切替制御により、受信導体１１Ｘがゲート回路３１ｂを介してコンデンサ回路３１ｃと接続された状態で、受信導体１１Ｘが接続されるゲート回路３１ｂの一端側を一時的に基準電圧Ｖｒｅｆに設定する。
【手続補正３２】
【補正対象書類名】明細書
【補正対象項目名】０１５２
【補正方法】変更
【補正の内容】
【０１５２】
次に、制御回路２０４は、ゲート制御信号ＳＷ２により、図１４（Ｂ）に示すように、ゲート回路３１ｂをオフ（開状態）にした後、切替制御信号ＳＷ５により、図１４（Ｃ）に示すように、スイッチ回路３１ｇを端子ｓ２に切り替え、受信導体１１Ｘが接続されるゲート回路３１ｂの一端側を基準電圧Ｖｒｅｆとは異なる電圧である接地電位ＧＮＤに設定する（ステップＳ３０３）。
【手続補正３３】
【補正対象書類名】明細書
【補正対象項目名】０１５３
【補正方法】変更
【補正の内容】
【０１５３】
次いで、制御回路２０４は、切替制御信号ＳＷ５により、図１５（Ｄ）に示すように、スイッチ回路３１ｇを遊端とされている端子ｓ４に切り替えた後、ゲート制御信号ＳＷ２により、図１５（Ｅ）に示すように、ゲート回路３１ｂをオン（閉状態）にする。すると、ゲート回路３１ｂの一端と他端との間の電位差により、コンデンサ回路３１ｃはディスチャージされて、コンデンサ回路３１ｃの一端側と受信導体１１Ｘとが同じ電圧になる（ステップＳ３０４）。なお、このとき、コンデンサ回路３１ｃのディスチャージが１回では所望のディスチャージが完了しない場合を考慮して、ゲート回路３１ｂは、複数回開閉を繰り返して、コンデンサ回路３１ｃをディスチャージするようにしてもよい。
【手続補正３４】
【補正対象書類名】明細書
【補正対象項目名】０１５４
【補正方法】変更
【補正の内容】
【０１５４】
次に、制御回路２０４は、ゲート制御信号ＳＷ２により、図１５（Ｆ）に示すように、ゲート回路３１ｂをオフ（開状態）にする（ステップＳ３０５）。そして、制御回路２０４は、ＡＤＣ３１ｄを動作制御信号ＣＴにより動作状態に制御して、ＡＤＣ３１ｄにより、コンデンサ回路３１ｃに保持されている電圧をデジタル信号Ｄ３−に変換し、そのデジタル信号Ｄ３−を一時保存する（ステップＳ３０６）。
【手続補正３５】
【補正対象書類名】明細書
【補正対象項目名】０１５５
【補正方法】変更
【補正の内容】
【０１５５】
次に、ステップＳ３０６の後、制御回路２０４は、ゲート制御信号ＳＷ２及び切替制御信号ＳＷ５により、図１４（Ａ）に示す状態に戻す。すなわち、ゲート回路３１ｂをオン（閉状態）とした後、スイッチ回路３１ｇを基準電圧Ｖｒｅｆが設定されている端子ｓ１に切り替えて、受信導体１１Ｘを基準電圧Ｖｒｅｆにクランプすると共に、コンデンサ回路３１ｃの一端側と受信導体１１Ｘとを接続して同じ電圧にする（ステップＳ３０７）。すなわち、制御回路２０４によるゲート回路３１ｂ及びスイッチ回路３１ｇの切替制御により、受信導体１１Ｘがゲート回路３１ｂを介してコンデンサ回路３１ｃと接続された状態で、受信導体１１Ｘが接続されるゲート回路３１ｂの一端側を一時的に基準電圧Ｖｒｅｆに設定する。
【手続補正３６】
【補正対象書類名】明細書
【補正対象項目名】０１５６
【補正方法】変更
【補正の内容】
【０１５６】
次に、制御回路２０４は、ゲート制御信号ＳＷ２により、図１４（Ｂ）に示すように、ゲート回路３１ｂをオフ（開状態）にした後、切替制御信号ＳＷ５により、図１４（Ｃ）において、点線で示すように、スイッチ回路３１ｇを端子ｓ３に切り替え、受信導体１１Ｘが接続されるゲート回路３１ｂの一端側を基準電圧Ｖｒｅｆとは異なる電圧である電源電圧Ｖｄｄに設定する（ステップＳ３０８）。
【手続補正３７】
【補正対象書類名】明細書
【補正対象項目名】０１５７
【補正方法】変更
【補正の内容】
【０１５７】
次いで、制御回路２０４は、切替制御信号ＳＷ５により、図１５（Ｄ）に示すように、スイッチ回路３１ｇを遊端とされている端子ｓ４に切り替えた後、ゲート制御信号ＳＷ２により、図１５（Ｅ）に示すように、ゲート回路３１ｂをオン（閉状態）にする。すると、ゲート回路３１ｂの一端と他端との間の電位差により、コンデンサ回路３１ｃはチャージされ、コンデンサ回路３１ｃの一端側と受信導体１１Ｘとが同じ電圧になる（ステップＳ３０９）。なお、このとき、コンデンサ回路３１ｃのチャージが１回では所望のチャージが完了しない場合を考慮して、ゲート回路３１ｂは、複数回開閉を繰り返して、コンデンサ回路３１ｃをチャージするようにしてもよい。
【手続補正３８】
【補正対象書類名】明細書
【補正対象項目名】０１５８
【補正方法】変更
【補正の内容】
【０１５８】
次に、制御回路２０４は、ゲート制御信号ＳＷ２により、図１５（Ｆ）に示すように、ゲート回路３１ｂをオフ（開状態）にする（ステップＳ３１０）。そして、制御回路２０４は、ＡＤＣ３１ｄを動作制御信号ＣＴにより動作状態に制御して、ＡＤＣ３１ｄにより、コンデンサ回路３１ｃに保持されている電圧をデジタル信号Ｄ３＋に変換し、そのデジタル信号Ｄ３＋を一時保存する（ステップＳ３１１）。
【手続補正３９】
【補正対象書類名】明細書
【補正対象項目名】０１７１
【補正方法】変更
【補正の内容】
【０１７１】
なお、第１の実施形態及び第２の実施形態では、受信導体１１Ｘ側の電圧を所定の電圧に固定すると共に、電圧ホールド用のコンデンサ回路側の電圧を切り替えることで自己容量を測定するようにした。また、第３の実施形態では、電圧ホールド用のコンデンサ回路側の電圧を固定すると共に、受信導体１１Ｘ側の電圧を切り替えることで、自己容量を測定するようにした。しかし、受信導体１１Ｘ側の電圧と電圧ホールド用のコンデンサ回路側の電圧との両方を切り替えるようにしても、自己容量を測定することも可能である。
【手続補正４０】
【補正対象書類名】明細書
【補正対象項目名】０１７４
【補正方法】変更
【補正の内容】
【０１７４】
また、電圧変化ΔＶに応じてゲート回路３１ｂを介しての受信導体とコンデンサ回路３１ｃとの間で電荷を移動させる動作は、前述したように、ゲート回路３１ｂを複数回オン、オフすることで、複数回行ってもよい。